(57)【要約】 【課題】  苔植物を使用した緑化ブロックにおいて、取り扱いを容易にして作業性を高めると共に、苔植物の確実な繁殖を実現させる。【解決手段】  チップ体にウレタン樹脂を混合して所定の形状の基盤ブロック部１に形成し、表面に紙繊維２２または瓦粉砕材やレンガ粉砕材等の多孔質無菌土２１或いは両者からなる繁殖ベース部２を接着し、前記繁殖ベース部に植物活性配合酵素２３を含水させると共に、苔植物３を定着させてなる。【選択図】図１
2005261318.tif 000002
【特許請求の範囲】
【請求項１】
チップ体にウレタン樹脂を混合して所定の形状の基盤ブロック部に形成し、表面に紙繊維または瓦粉砕材やレンガ粉砕材等の多孔質無菌土或いは両者からなる繁殖ベース部を接着し、前記繁殖ベース部に植物活性配合酵素を含水させると共に、苔植物を定着させてなることを特徴とする緑化ブロック。
【請求項２】
チップ体がゴムチップを主材料としたものである請求項１記載の緑化ブロック。
【発明の詳細な説明】
【技術分野】
【０００１】
本発明は、所望の箇所に苔を以って緑化する緑化マットに関するものである。
【背景技術】
【０００２】
緑化手段として一般の植物を使用する場合には、当該植物の育成のために水や栄養分の供給が必要であると共に、相応の生育基盤も必要である。しかし一般の植物の育成が困難な箇所もあり、これらの箇所の緑化を実現するために、苔を使用することは、従前から提案されている。
【０００３】
しかし苔植物は、単に適宜な基盤（自然界の土壌表面や岩の表面）に配偶体を付着させたのみでは、確実な生育は望めない。そこで苔の生育を確実なものとするために、例えば特開２００３−２５０３３５号公報（特許文献４）には、表面にコケ植物が付着可能な程度の凹凸を有する金属、合成樹脂、陶器、瓦材や、紙、木材、石材、ガラス、煉瓦、コンクリート等の基盤の表面に苔植物配偶体を配置し、水溶性のシートで被覆している緑化部材が開示されている。
【０００４】
また繁殖ベース（岩の表面の代替）として、苔植物配偶体と紙繊維の水溶物の混合物を所定の型に入れて乾燥させた緑化部材を使用することが、特開平７−２２７１４３号公報（特許文献２）に開示されている。
【０００５】
また同様に繁殖ベースと繁殖基盤（基盤部材：岩の代替）を組み合わせるものが、特開２００２−１５３１２０号公報（特許文献３）に開示されている。これは、合成樹脂製のパイル糸を立体的に編成又は織成して構成した基材の表面に、不織布で形成した２枚の保持シート形成層間に苔を介装させて構成した保持シートを張着した緑化部材である。
【０００６】
更に繁殖ベースと繁殖基盤を兼ねるものとして、特公平７−１１９４９７号公報（特許文献１）に、表面および内部に連通する細孔を多数有し、且つ土壌化可能にする生焼状態に焼成する素焼処理した基盤部材に、蘚苔類の胞子、又は蘚苔類の切片と栄養分とを水分と共に毛管現象により浸透保持せしめた緑化部材が開示されている。
【０００７】
【特許文献１】特公平７−１１９４９７号公報。
【特許文献２】特開平７−２２７１４３号公報。
【特許文献３】特開２００２−１５３１２０号公報。
【特許文献４】特開２００３−２５０３３５号公報。
【発明の開示】
【発明が解決しようとする課題】
【０００８】
ところで前記の苔を緑化材とする公知の緑化マットにおいては、繁殖の確実性、取り扱いの利便性の点で問題がある。たとえば、特許文献４記載のように、繁殖ベースを特定せずに保護皮膜のみを使用する場合や、特許文献２記載の苔植物配偶体と紙繊維の水溶物の混合物の乾燥物を使用する場合には、苔が基盤に繁殖する前に水溶性シートが雨水に解けて流れ出てしまうと、基盤上で苔の繁殖が期待できない。
【０００９】
特に法面等の傾斜面の緑化に際しては、特定の植生基盤を備えた箇所でなければ、適用できない。
【００１０】
また基盤部材も一体となった苔緑化部材においては、特許文献１記載の素焼き材を採用した場合には、破損の虞があり取り扱いに注意を要すると共に、繁殖ベースを備えていないので、初期繁殖の確実性に欠ける。
【００１１】
更に特許文献３記載のパイル織物を基盤部材として採用した場合には、保水性が良すぎて、苔の繁殖の阻害要因となる。また撓んだり折れ曲がり易いので、運搬や敷設に際しての取り扱いに不便である。
【００１２】
そこで本発明は、確実な苔の繁殖を実現すると共に、取り扱い易い新規な緑化ブッロクを提案したものである。
【課題を解決するための手段】
【００１３】
本発明に係る緑化ブロックは、チップ体にウレタン樹脂を混合して所定の形状の基盤ブロック部に形成し、表面に紙繊維又は瓦粉砕材やレンガ粉砕材等の多孔質無菌土、或いは両者からなる繁殖ベース部を接着し、前記繁殖ベース部に植物活性配合酵素を含水させると共に、苔植物を定着させてなることを特徴とするものである。
【００１４】
而して前記ブロックを緑化箇所に配置して、苔植物の育成に必要な日照と水分供給を行うことで、苔植物は各自に繁殖し、緑化が実現する。
【００１５】
特に基盤ブロック部はチップ体を固めたものであるから、軽量であると共に、適当な保形性を備えているので取り扱い易いし、且つ透水性と保温性を有し、更に繁殖ベース部には植物活性配合酵素を含水させているものであから、苔植物の繁殖が確実に行われる。
【００１６】
また本発明（請求項２）は、チップ体がゴムチップを主材料としたものであるから、屋上緑化などに際して雨音を消し、またブロック上を歩行しても屋根の防水層を傷めることがない。
【発明の効果】
【００１７】
本発明は以上の構成を採用したことによって、水分調整機能性、保温性、植物活性促進性に優れて、苔植物の繁殖を確実にし、また軽量で且つ所定の形状を維持しているので、そのまま所望箇所に敷設するという簡単な作業で容易に緑化が可能となるものである。
【発明を実施するための最良の形態】
【００１８】
次に本発明の実施の形態について説明する。実施形態に示した緑化ブロックは、主として建物屋上の緑化に最適な例を示したもので、基盤ブロック部１と、繁殖ベース部２と苔植物３とで構成される。
【００１９】
基盤ブロック部１は、古タイヤを粉砕したゴムチップ体を、ウレタン樹脂を混合して所定の形状に形成したもので、その大きさは、例えば３００ｍｍ×３００ｍｍで厚さを３０ｍｍとすると取り扱い易いものとなる。また前記の成形に際して表面で複数の凹部１１を形成する。凹部１１は、その形状は任意であるが、緑化ブロックを複数組み合わせて敷き詰めた際に、凹部１１以外の箇所での歩行移動が可能なように形成する。
【００２０】
尚ゴムチップ体に替えて、ウッドチップ、籾殻、炭化物、ガラスカレットを採用しても良いが、ゴムチップを採用した場合には、特に軽量化、耐久性、耐衝撃性に優れている。
【００２１】
繁殖ベース部２は、瓦粉砕材やレンガ粉砕材等の多孔質無菌土２１と、紙繊維２２を積層状態で、前記凹部１１内に適宜な接着剤を添加して接着収納し、更に植物活性配合酵素を含む水溶液２３を添加する。
【００２２】
尚繁殖ベース部２は、瓦粉砕材やレンガ粉砕材等の多孔質無菌土２１と、紙繊維２２を積層せずに、混合状態でも、或いは各単体で使用するようにしても良い。
【００２３】
苔植物３は、ベンケイ草、マンネン草等を前記紙繊維２２上に配置し、根を張らせることで定着させる。
【００２４】
而して前記の緑化ブロックを屋上等に敷き詰めることで、所望の範囲の緑化を実現することができるもので、特に基盤ブロック部１がチップ体の集合物で形成されているため、透水性を有し、雨水が苔植物３の表面で滞留することなく水捌けがスムーズになされ、特に繁殖初期においては植物活性配合酵素によって根付きが速やかになされるので確実な繁殖がなされる。
【００２５】
また凹部１１以外の箇所では歩行が可能であり、必要に応じて苔植物３の手入れも実施することができる。
【００２６】
また本発明は、前記した屋上緑化ばかりではなく、例えば道路両側の法面に多用されているコンクリートブロックＡで構築されている箇所の緑化にも使用できる。
【００２７】
例えば図３，４に示すように、基盤ブロック部１ａの形状をコンクリートブロックＡの凹部形状に合致させ、表面側に繁殖ベース２ａを接着させ、苔植物３ａを定着させたもので、特に苔植物３ａの定着面を適宜な網４で保護してなるものである。
【００２８】
而してコンクリートブロックＡで構築された法面に緑化ブロックを嵌合装着することで当該法面の緑化が可能となり、積雪の滑りによる苔植物３ａの剥離を網４によって防止してなるものである。
【図面の簡単な説明】
【００２９】
【図１】本発明の実施形態の形成説明図。
【図２】同一部断面図。
【図３】同別例の一部切断した斜視図。
【図４】同使用状態の説明図。
【符号の説明】
【００３０】
１，１ａ    基盤ブロック部
１１        凹部
２，２ａ    繁殖ベース部
２１        多孔質無菌土
２２        紙繊維
２３        植物活性配合酵素液
３，３ａ        苔植物
４          網
【図１】
2005261318.tif 000003
【図２】
2005261318.tif 000004
【図３】
2005261318.tif 000005
【図４】
2005261318.tif 000006